(57)【要約】【課題】本発明は、筐体の設置面の逆側に設けた開口部より検知対象となる流体を筐体内部に導入するとき、開口部を多孔状とすることで、煙以外の埃や虫の侵入を防止できる警報器を提案することを目的とする。【解決手段】筐体１の天板１２には、外部からの流体を筐体１内部に流入出させるための開口部１３が、検知部３と対向する領域に設けられ、この開口部１３は、複数の孔による多孔形状とされる。又、検知部３は、その内部に検知対象となる流体を流入させるため、天板１２側が開口した構成とされるとともに、その開口面には、埃や虫の侵入を防ぐために、網目状の防虫網３１を備える。【選択図】図１
2010262329.tif 000002
【特許請求の範囲】
【請求項１】
外部から流れ込む流体により周辺環境の物理量の変化を表す環境値を検出する検知部と、該検知部により検出された環境値に基づいて周辺環境における異常の判定を行う制御部と、前記検知部及び前記制御部とを内蔵する筐体と、を備える警報器において、
前記筐体が、その設置面と逆側の端面における前記検知部の設置領域に、多孔状の開口部を備え、
外部からの流体が、該開口部を通じて前記筐体内の前記検知部に供給されることを特徴とする警報器。
【請求項２】
請求項１において、
前記筐体内において、前記開口部の孔よりも細かい網目孔を備えた防虫網を、前記検知部と前記開口部との間に、更に備えることを特徴とする警報器。
【請求項３】
請求項１において、
前記開口部が、１つの孔の開口面積を１ｍｍ２以下とすることを特徴とする警報器。
【請求項４】
請求項１乃至請求項３のいずれか一項において、
前記開口部及び前記検知部のそれぞれが、前記筐体の端面の中央となる領域に設置されることを特徴とする警報器。
【請求項５】
請求項１乃至請求項４のいずれか一項において、
警報を発報する発音体を、更に備え、
前記筐体内において、前記発音体が、前記検知部よりも設置面側に設置されることを特徴とする警報器。
【請求項６】
請求項５において、
前記筐体が、前記発音体からの音声による振動を外部に伝達させる音孔を、設置面側に備えることを特徴とする警報器。
【発明の詳細な説明】
【技術分野】
【０００１】
本発明は、検知部に流れ込む流体より環境の変化を表す環境値を測定して警報を報知する警報器に関するものである。
【背景技術】
【０００２】
一般に、火災を報知する火災警報器として、室内の温度を検出する熱感知素子を備えた熱感知式の火災警報器（特許文献１参照）や、煙検知器を備えた煙検知式の火災警報器（特許文献２参照）や、両方式を備えた火災警報器（特許文献３参照）などが提供されている。そして、熱感知式の火災警報器は、特許文献１に示されるように、熱感知素子により検出された温度が高温となったときに、火災が発生したものと判断して、警報の発報を行う。一方、煙検知式の火災警報器は、特許文献２に示されるように、煙検知器が測定した煙量が多くなったときに、火災が発生したものと判断して、警報の発報を行う。
【０００３】
これらの火災警報器はそれぞれ、火災検知用に温度又は煙量を測定する検知部を構成する検知室を備えた、流体より周辺環境の変化を検出する感知器として構成される。又、ガス検知を行うガス警報器も同様、流体より周辺環境の変化を検出する感知器として構成される。このような流体により環境値を測定する各種警報器は、その周辺環境の変化を正確に検出するために、検知部内に測定対象となる流体を誘導するための構造を備える必要がある。
【０００４】
そのため、従来の警報器の多くは、特許文献１〜特許文献３に示すもののように、検知部として構成される検知室を筐体外部に突出させた構造として、測定対象となる加熱された流体や煙を積極的に検知室内に流入させている。即ち、特許文献１〜特許文献３に代表されるような構成の警報器においては、その内部に回路部品などを収納して保護する筐体から検知部を突出させた構造として、外環境（測定対象となる周辺環境）に検知部を配置させることで、外環境に近い状態の流体に対して測定を行うものとしている。
【０００５】
又、加温されたときに発光する熱蛍光体と、この熱蛍光体からの光を検知する受光手段とを備えるとともに、熱と煙とを感知器本体内部に誘導する熱・煙導入孔が感知器本体の下面に設けられ、熱と煙の両方を検知できる火災感知器が提案されている（特許文献４参照）。特許文献４の火災感知器は、本体内部に、熱蛍光体と受光手段とが設置された上下２室を備え、上室は、外部から遮蔽された構造とされ、外部からの熱のみを検知し、下室は、熱・煙導入孔から煙が導入される構造とされ、外部からの煙及び熱両方を検知する。
【先行技術文献】
【特許文献】
【０００６】
【特許文献１】特開平０９−０４４７６９号公報
【特許文献２】特開２００５−３５２９３２号公報
【特許文献３】特開２００２−３５２３４７号公報
【特許文献４】特開２００５−２８４７６４号公報
【発明の概要】
【発明が解決しようとする課題】
【０００７】
しかしながら、特許文献１〜特許文献３のような警報器は、検知部を突出させた形状となるため、室内に設置させたとき、室内のデザインに適合したものではないことから、その美観を損なう。そのため、警報器を設置した室内のデザイン性をよくするように、警報器本体に検知部を内蔵させて、小型化又は薄型化を実現した警報器が提案されている。しかしながら、このように検知部を本体内部に設置した警報器は、本体を構成する筐体の側壁に検知対象となる流体を導入する開口部が設けられる。そのため、筐体内部に検知部以外に設置される各部品が、流体が検知部に到達するまでの抵抗となり、検知部に十分な量の流体が流れ込むのに時間がかかり、検知部での応答性が悪くなる。
【０００８】
それに対して、特許文献４における火災感知器は、本体下面の中心領域に単一の孔による熱・煙導入孔を構成するのみであるため、その感度を良好なものとするためには、熱・煙導入孔の開口面積を広くする必要がある。しかしながら、この熱・煙導入孔の開口面積を広くした場合、熱・煙導入孔からの埃や虫などの侵入によって、誤検知を招くという問題がある。又、熱蛍光体の発光に基づいて煙を検知するため、火災による煙の発生があったとしても、熱蛍光体を発光させる温度に達していない場合は、煙の検知を行うことができない。
【０００９】
このような問題を鑑みて、本発明は、筐体の設置面の逆側に設けた開口部より検知対象となる流体を筐体内部に導入するとき、開口部を多孔状とすることで、煙以外の埃や虫の侵入を防止できる警報器を提案することを目的とする。
【課題を解決するための手段】
【００１０】
上記目的を達成するために、本発明の警報器は、外部から流れ込む流体により周辺環境の物理量の変化を表す環境値を検出する検知部と、該検知部により検出された環境値に基づいて周辺環境における異常の判定を行う制御部と、前記検知部及び前記制御部とを内蔵する筐体と、を備える警報器において、前記筐体が、その設置面と逆側の端面における前記検知部の設置領域に、多孔状の開口部を備え、外部からの流体が、該開口部を通じて前記筐体内の前記検知部に供給されることを特徴とする。
【００１１】
このような警報器において、前記筐体内において、前記開口部の孔よりも細かい網目孔を備えた防虫網を、前記検知部と前記開口部との間に、更に備えるものとしてもよい。又、前記開口部が、１つの孔の開口面積を１ｍｍ２以下としてもよい。
【００１２】
又、上述のいずれかの警報器において、前記開口部及び前記検知部のそれぞれが、前記筐体の端面の中央となる領域に設置されるものとしてもよい。
【００１３】
上述のいずれかの警報器において、警報を発報する発音体を、更に備え、前記筐体内において、前記発音体が、前記検知部よりも設置面側に設置されるものとしてもよい。このとき、前記筐体が、前記発音体からの音声による振動を外部に伝達させる音孔を、設置面側に備えるものとしてもよい。
【発明の効果】
【００１４】
本発明によると、検知対象となる流体を導入する開口部を多孔状とすることで、当該流体以外の埃や虫の侵入を防止できるとともに、この開口部が筐体の設置面と逆側の端面に構成されるため、開口部から検知部までの流路の間に抵抗となる部品数を低減できる。更に、開口部を多孔状とするため、開口部を構成する孔数を増加させることで、筐体内部に導入する流体量を増加させることができ、検知部での感度を高めることができる。
【図面の簡単な説明】
【００１５】
【図１】は、本発明の第１の実施形態の警報器の構成を示す概略断面図である。
【図２】は、図１の警報器における筐体の天板の構成を示す概略図である。
【図３】は、本発明の第２の実施形態の警報器の構成を示す概略断面図である。
【図４】は、本発明の第３の実施形態の警報器の構成を示す概略断面図である。
【図５】は、本発明の第３の実施形態の警報器の別構成を示す概略断面図であり、（ａ）が、防虫網を備えた天板と検知部との間に複数の遮光板を設置した構成を示し、（ｂ）が、防虫網を備えた複数の開口部を有する天板と検知部との間に１数の遮光板を設置した構成を示す。
【図６】は、本発明の第４の実施形態の警報器の構成を示す概略断面図である。
【発明を実施するための形態】
【００１６】
＜第１の実施形態＞
本発明における第１の実施形態の警報器について、図面を参照して説明する。図１は、本実施形態の警報器の構成を示す概略断面図である。図２は、図１の警報器における筐体の天板の構成を示す概略図である。
【００１７】
図１に示すように、本実施形態の警報器は、警報器全体を覆う筐体１の内部に、警報器の各動作を制御する不図示の制御部を構成する回路部品を搭載した回路基板２と、筐体１外部の周辺環境（外環境）を流れる流体が流入することで環境値の測定を行う検知部３と、外部に警報を発報する発音体４とを備える。そして、回路基板２には、検知部３及び発音体４が電気的に接続されるため、検知部３で測定された環境値が電気信号として、回路基板２上の不図示の制御部に与えられ、発音体４による警報の要否が判定される。この回路基板２上に構成された不図示の制御部において、警報の発報が必要である旨の判定がなされたとき、回路基板２に電気的に接続された発音体４の警報発報動作が制御され、発音体４による警報の発報がなされる。
【００１８】
この警報器において、筐体１は、天井や壁などの設置面に設置固定される略円盤状の基台１０と、この基台１０の周縁から設置面と逆側に立設される外周壁となる側壁１１と、この側壁１１の基台１０と逆側の端部に接続して側壁１１の開口面を覆う天板１２と、を備える。即ち、筐体１は、基台１０及び天板１２を両端面とする円筒形状となる。そして、この筐体１内部には、基台１０側に配置された回路基板２に接続された検知部３が、回路基板２と天板１２との間に設置されるとともに、この検知部３の外周側の異なる部分に、警報器に電力供給を行う電池６を保持する電池ケース７と発音体４とが設置される。尚、筐体１については、基台１０を略円盤状とした円筒形状とする構成を例に挙げるが、基台１０及び天板１２それぞれを両端面とする筒形状であればよく、円筒形状に限定するものではない。
【００１９】
又、筐体１の天板１２には、外部からの流体を筐体１内部に流入出させるための開口部１３が、検知部３と対向する領域に設けられ、この開口部１３は、複数の孔による多孔形状とされる。そして、この天板１２は、更に、ブザー又はスピーカによって構成される発音体４からの音声による振動を外部の空気に伝達させるための音孔１４が設けられる。即ち、図２に示すように、天板１２において、検知部３が設置領域に対応する中央部分に、多孔状の開口部１３が設置されるとともに、発音体４の設置領域に対応する部分に、複数の音孔１４が設けられる。
【００２０】
検知部３は、その内部に検知対象となる流体を流入させるため、天板１２側が開口した構成とされるとともに、その開口面には、埃や虫の侵入を防ぐために、その開口面積が１ｍｍ２以下の孔で構成される網目状の防虫網３１を備える。そして、検知部３は、防虫網３１が設置された開口面が天板１２の開口部１３の設置領域に当接するように、天板１２側に設置される。これにより、開口部１３から流入した外部からの流体が、防虫網３１が設けられた開口面を通じて、検知部３内部に流入する。又、検知部３で検知された流体は、防虫網３１が設けられた開口面を介して、開口部１３から外部に流出する。尚、開口部１３全体の面積は、検知部３の開口面よりも狭いことが望ましい。
【００２１】
このように構成することで、本実施形態の警報器は、外部の流体が、天板１２側に設けられた開口部１３を通じて、検知部３内に直接流入するため、検知対象となる流体の検知部３へ流入しやすい構造となる。これにより、検知部３による流体の量又は温度の検知について、その感度を高めることができる。又、筐体１内部では、検知部３による空間と、検知部３周辺の空間とが分離されているため、検知部３周辺への流体の流入を防止でき、例えば、回路基板２に対する流体による影響を低減できる。
【００２２】
＜第２の実施形態＞
本発明における第２の実施形態の警報器について、図面を参照して説明する。図３は、本実施形態の警報器の構成を示す概略断面図である。尚、図３に示す警報器において、図１に示す警報器と同一の目的で使用する部分については、同一の符号を付してその詳細な説明は省略する。
【００２３】
図３に示すように、本実施形態の警報器は、第１の実施形態の構成（図１参照）と異なり、筐体１の天板１２が、開口部１３（図１参照）の代わりに、その開口孔それぞれが１ｍｍ２以下の開口面積となる網目状の防虫網１５を備えた構成となる。これにより、筐体１内部で天板１２に当接するように設置される検知部３は、第１の実施形態と同様、その天板１２側の端面を開口面とするが、その開口面には防虫網３１（図１参照）が不要となる。その他の構成については、第１の実施形態の警報器と同様の構成となるため、その詳細な説明は省略する。
【００２４】
このように構成することで、筐体１の天板１２に設けられた防虫網１５によって、筐体１内部への埃及び虫の侵入を防ぐことができ、この筐体１に内蔵された検知部３への侵入が防がれる。又、本実施形態では、防虫網１５が筐体１に設置された構成となるため、防虫網１５を備えた天板１２として、防虫網１５を天板１２と同時に成形して、天板１２と一体の構成とした場合、その部品点数を低減することができる。更に、第１の実施形態と比べて、開口部１３（図１参照）を除いた構成とすることにより、筐体１を流入出する流体の流れに対する抵抗を低減できる。
【００２５】
＜第３の実施形態＞
本発明における第３の実施形態の警報器について、図面を参照して説明する。図４は、本実施形態の警報器の構成を示す概略断面図である。尚、図４に示す警報器において、図１に示す警報器と同一の目的で使用する部分については、同一の符号を付してその詳細な説明は省略する。
【００２６】
図４に示すように、本実施形態の警報器は、第１の実施形態の構成（図１参照）と異なり、天板１２の開口部１３と検知部３の開口面との間に、孔１７を複数備えた多孔板となる遮光板１６が設置された構成となる。このとき、遮光板１６は、その孔１７が、開口部１３における孔と重ならない位置に設けられ、開口部１３の孔から入光する外光を検知部３に対して遮光する。又、遮光板１６と天板１２との間には、空隙が設けられるとともに、この遮光板１６と天板１２との間の空隙は、遮光板１６の周縁から天板１２に向かって立設した周壁１８によって、筐体１内の他の空間から隔離される。又、防虫網３１は、遮光板１６の基台１０側の面に当接するように設置される。その他の構成については、第１の実施形態の警報器と同様の構成となるため、その詳細な説明は省略する。
【００２７】
このように構成されるとき、開口部１３から筐体１内部に流入する流体は、天板１２と遮光板１６との間の空隙を流れた後、遮光板１６の孔１７より、防虫網３１を通じて検知部３内部に流入する。一方、検知部３で検知された流体は、防虫網３１及び遮光板１６の孔１７を通じて、検知部３から流出し、天板１２と遮光板１６との間の空隙を流れた後、開口部１３から筐体１外部に流出する。このように、本実施形態では、多孔形状の遮光板１６が、開口部１３と検知部３の開口面との間に設置されるため、流体の流れに対する抵抗が大きくなるが、遮光板１６という簡単な構成で、検知部３への外部からの入光を確実に防ぐことができる。
【００２８】
尚、図４では、防虫網３１と開口部１３との間に、遮光板１６が設置される構成としているが、開口部１３と遮光板１６との間に、防虫網３１が設置される構成としてもよい。このように構成する場合においても、遮光板１６と天板１２との間には空隙を設けるように構成すればよく、防虫網３１は、遮光板１６と天板１２との間の空隙内に配置される。このとき、防虫網３１は、遮光板１６の天板１２側に当接するようにしてもよいし、天板１２の遮光板１６側に当接するようにしてもよい。
【００２９】
又、本実施形態において、第２の実施形態と同様、天板１２に防虫網１５が設置された構成としてもよい。このとき、図５（ａ）に示すように、検知部３の開口面と防虫網１５との間に、その孔１７が交互に配置されるように、多孔形状となる遮光板１６を２枚以上設置することで、筐体１外部からの外光が検知部３に入光することを防ぐことができる。又、図５（ｂ）に示すように、天板１２において、検知部３の設置面に対して、防虫網１５が設けられる開口孔１９を複数設け、この開口孔１９以外の領域に、その孔１７が配置されるように、多孔形状となる遮光板１６を設置するものとしてもよい。このとき、検知部３の開口面と天板１２との間に、１枚の遮光板１６を設置することで、筐体１外部からの外光の検知部３への入光を防止できる。
【００３０】
＜第４の実施形態＞
本発明における第４の実施形態の警報器について、図面を参照して説明する。図６は、本実施形態の警報器の構成を示す概略断面図である。尚、図６に示す警報器において、図１に示す警報器と同一の目的で使用する部分については、同一の符号を付してその詳細な説明は省略する。
【００３１】
図６に示すように、本実施形態の警報器は、第１の実施形態の構成（図１参照）と異なり、発音体４が基台１０側に設置されるとともに、音孔１４が、筐体１の側壁１１における基台１０側に設けられる。即ち、図６に示すように、筐体１内部の空間が、回路基板２によって上下に分離されているとき、回路基板２の基台１０側に発音体４が設けられるとともに、回路基板２の天板１２側に検知部３が設けられた構成となる。その他の構成については、第１の実施形態の警報器と同様の構成となるため、その詳細な説明は省略する。
【００３２】
このように構成することで、筐体１内部において、基台１０側の空間に発音体４が設けられるとともに、天板１２側の空間に検知部３が設けられるため、発音体４からの音声による空気振動が、天板１２側の空間へ伝達することを抑制できる。よって、天板１２側の空間に設置された検知部３において、天板１２の開口部１３から流れ込む流体が、発音体４の発報動作による影響を受けることがなく、その感度低下を防止できる。又、基台１０側の空間は、その空間内に設置された発音体４からの音声振動に対して共鳴する共鳴空間となる。
【００３３】
尚、本実施形態においても、第２の実施形態と同様、天板１２に防虫網１５が設置された構成とし、検知部３より防虫網３１を取り外した構成としてもよい。又、本実施形態において、第３の実施形態の構成と組み合わせて、天板１２と検知部３との間に、多孔形状の遮光板１６を配置することによって、筐体１外部からの光が検知部３へ入光することを防止するものとしてもよい。
【００３４】
そして、上述の各実施形態において、検知部３を、天板１２の面方向に対して、その中心領域に設置するものとしたが、天板１２の面方向に対して偏心した領域に設置されるものであってもよい。又、第１〜第３の実施形態においては、検知部３を、天板１２の面方向に対して、その中心領域に設置するものとしたとき、電池６を保持する電池ケース７と発音体４とを、検知部３を中心として対象となる位置に設置されるようにすることで、壁面に警報器を設置した場合に、設置された警報器の重心のバランスをとることができる。
【産業上の利用可能性】
【００３５】
本発明は、流体より環境値を取得する検知部を備えた警報器に適用可能である。特に、光電式の煙検知部や感熱素子を備えた火災警報器を構成する警報器や、ガス量を測定するためのガス警報器を構成する警報器などに適用することができる。
【符号の説明】
【００３６】
１                筐体
２                回路基板
３                検知部
４                発音体
６                電池
７                電池ケース
１０              基台
１１              側壁
１２              天板
１３              開口部
１４              音孔
１５              防虫網
１６              遮光板
【図１】
2010262329.tif 000003
【図２】
2010262329.tif 000004
【図３】
2010262329.tif 000005
【図４】
2010262329.tif 000006
【図５】
2010262329.tif 000007
【図６】
2010262329.tif 000008